(57)【要約】【課題】  碗状フィルターと前記フィルターの碗形状を保持する通気性の碗状の保形具と碗状フィルターの周縁部から径方向内方へ延びる接顔布とを備える使い捨て防塵マスクであって、マスク装着時に接顔布の鼻梁に当接する部位が鼻梁の外形に追随でき、鼻梁側面と接顔布の間に隙間ができない使い捨て防塵マスクを提供する。【解決手段】  碗状フィルターと前記フィルターの碗形状を保持する通気性の碗状の保形具と碗状フィルターの周縁部から径方向内方へ延びる接顔布とを備える使い捨て防塵マスクであって、接顔布は延在方向の所定部位が面外方向へ突出するように予め形成された伸縮性且つ非通気性の環状布片の外周縁部を碗状フィルターの周縁部に接合することにより形成されている。【選択図】  図１
2019098110.tif 000002
【特許請求の範囲】
【請求項１】
碗状フィルターと前記フィルターの碗形状を保持する通気性の碗状の保形具と碗状フィルターの周縁部から径方向内方へ延びる接顔布とを備える使い捨て防塵マスクであって、接顔布は延在方向の所定部位が面外方向へ突出するように予め形成された伸縮性且つ非通気性の環状布片の外周縁部を碗状フィルターの周縁部に接合することにより形成されていることを特徴とする使い捨て防塵マスク。
【請求項２】
径方向外方へ向けて末広がりになるように延在方向に斜交する両端辺を有する弧状の布片の両端辺同士が接合されて環状布片が形成されていることを特徴とする請求項１に記載の使い捨て防塵マスク。
【請求項３】
延在方向に直交する一方の端辺と径方向外方へ向けて末広がりになるように延在方向に斜交する他方の端辺とを有する一対の弧状の布片が、延在方向に直交する端辺同士と延在方向に斜交する端辺同士がそれぞれ接合されて環状布片が形成されていることを特徴とする請求項１に記載の使い捨て防塵マスク。
【請求項４】
延在方向中央部が径方向内方へ湾曲し延在方向両端辺が延在方向に直交する弧状の布片の両端辺同士が接合されて環状布片が形成されていることを特徴とする請求項１に記載の使い捨て防塵マスク。
【発明の詳細な説明】
【技術分野】
【０００１】
本発明は、使い捨て防塵マスクに関するものである。
【背景技術】
【０００２】
碗状フィルターと前記フィルターの碗形状を保持する通気性の碗状の保形具と碗状フィルターの周縁部から径方向内方へ延びる接顔布とを備える使い捨て防塵マスクが特許文献１に開示されている。
特許文献１の従来の使い捨て防塵マスクにおいては、接顔布は伸縮性且つ非通気性の布から形成した環状平面体の外周縁部を碗状フィルターの周縁部に接合することにより形成されている。
【先行技術文献】
【特許文献】
【０００３】
【特許文献１】特開２００３−３２００４１
【発明の概要】
【発明が解決しようとする課題】
【０００４】
従来の使い捨て防塵マスクには、接顔布が本来環状平面体なので、マスクを装着した時に、接顔布の鼻梁に当接する部位が鼻梁の外形に追随できず、鼻梁側面と接顔布の間に隙間ができるという問題があった。
本発明は、上記問題に鑑みてなされたものであり、碗状フィルターと前記フィルターの碗形状を保持する通気性の碗状の保形具と碗状フィルターの周縁部から径方向内方へ延びる接顔布とを備える使い捨て防塵マスクであって、マスク装着時に接顔布の鼻梁に当接する部位が鼻梁の外形に追随でき、鼻梁側面と接顔布の間に隙間ができない使い捨て防塵マスクを提供することを目的とする。
【課題を解決するための手段】
【０００５】
上記課題を解決するために、本発明においては、碗状フィルターと前記フィルターの碗形状を保持する通気性の碗状の保形具と碗状フィルターの周縁部から径方向内方へ延びる接顔布とを備える使い捨て防塵マスクであって、接顔布は延在方向の所定部位が面外方向へ突出するように予め形成された伸縮性且つ非通気性の環状布片の外周縁部を碗状フィルターの周縁部に接合することにより形成されていることを特徴とする使い捨て防塵マスクを提供する。
本発明に係る使い捨て防塵マスクにおいては、接顔布は延在方向の所定部位が面外方向へ突出するように予め形成された伸縮性且つ非通気性の環状布片なので、前記所定部を碗状フィルターの鼻梁当接部に対峙させて環状布片の外周縁部を碗状フィルターの周縁部に接合すれば、マスク装着時に、接顔布の面外方向へ突出した部位がマスク装着者の鼻梁の外形に追随し、鼻梁側面と接顔布の間に隙間を生じさせない。
本発明の好ましい態様においては、径方向外方へ向けて末広がりになるように延在方向に斜交する両端辺を有する弧状の布片の両端辺同士が接合されて環状布片が形成されている。
本発明の好ましい態様においては、延在方向に直交する一方の端辺と径方向外方へ向けて末広がりになるように延在方向に斜交する他方の端辺とを有する一対の弧状の布片が、延在方向に直交する端辺同士と延在方向に斜交する端辺同士がそれぞれ接合されて環状布片が形成されている。
本発明の好ましい態様においては、延在方向中央部が径方向内方へ湾曲し延在方向両端辺が延在方向に直交する弧状の布片の両端辺同士が接合されて環状布片が形成されている。
上述の製法を用いて、延在方向の所定部位が面外方向へ突出するように予め環状布片を形成することができる。
【図面の簡単な説明】
【０００６】
【図１】本発明の実施例に係る使い捨て防塵マスクの構成を示す図である。（ａ）はマスクを後面側から見た斜視図であり、（ｂ）は碗状フィルターに形成される前の一対のフィルター片の正面図であり、（ｃ）は接顔布用の環状布片の正面図であり、（ｄ）は保形具の斜視図である。（ｅ）、（ｆ）は接顔布用の環状布片の変形例の正面図である。
【発明を実施するための形態】
【０００７】
本発明の実施例に係る使い捨て防塵マスクを説明する。
図１（ａ）に示すように、使い捨て防塵マスク１は、碗状フィルター２と、碗状フィルター２の凹状曲面を形成する後面側から碗状フィルター２に内嵌合して碗状フィルター２の碗形状を保持する骨組み構造の通気性の碗状の保形具３と、碗状フィルター２の周縁部から径方向内方へ延びる接顔布４と、を有するマスク本体５と、マスク本体５に取り付けられたしめ紐６と、を備えている。
防塵マスク１のマスク本体５は、以下の手順で製造される。  図１（ｂ）に示すように、左右対称の２枚のフィルター片２ａ、２ａを重ねセンター部２ａ’、２ａ’で溶着接合して碗状フィルター２を形成する。図１（ｃ）に一点鎖線で示すように、ナイロン繊維又はポリエステル繊維製生地の片面にポリウレタン等の軟質樹脂シートを積層した伸縮性且つ非通気性の生地をカットして、径方向外方へ向けて末広がりになるように延在方向に斜交する両端辺４ａ１’を有する弧状の布片４ａ１を形成し、弧状の布片４ａ１の両端辺４ａ１’同士を溶着接合して、図１（ｃ）に実線で示すように、環状布片４ａを形成する。環状布片４ａにおいては、接合部４ｂとその近傍部とが面外方向へ突出する。図１（ａ）に示すように、接合部４ｂを碗状フィルター２の鼻梁当接部２ｂに対峙させて環状布片４ａの外周縁部を碗状フィルター２の周縁部に溶着接合して、接顔布４を形成する。次に碗状フィルター２と接顔布４とが一体となったものを裏返し、図１（ｄ）に示す骨組み構造の通気性の碗状の保形具３を、接顔布４の中央開口を通して碗状フィルター２の後面側から碗状フィルター２に内嵌合させて、碗状フィルター２の後面に当接させ、図１（ａ）に示すように、碗状フィルター２の碗形状を保持させる。  
【０００８】
防塵マスク１においては、接顔布４は延在方向の所定部位である接合部４ｂとその近傍部とが面外方向へ突出するように予め形成された伸縮性且つ非通気性の環状布片４ａなので、マスク装着時に、接顔布４の面外方向へ突出した部位である接合部４ｂとその近傍部とがマスク装着者の鼻梁の外形に追随し、鼻梁側面と接顔布の間に隙間を生じさせない。
図１（ｅ）に示すように、延在方向に直交する一方の端辺４ａ2’と径方向外方へ向けて末広がりになるように延在方向に斜交する他方の端辺４ａ2”とを有する一対の弧状の布片４ａ2を形成し、延在方向に直交する端辺４ａ2’同士と延在方向に斜交する端辺４ａ2”同士とをそれぞれ溶着接合して環状布片４ａを形成しても良く、或いは、図１（ｆ）に示すように、延在方向中央部が径方向内方へ湾曲し延在方向両端辺４ａ３’が延在方向に直交する弧状の布片４ａ３を形成し、両端辺４ａ３’同士を溶着接合して環状布片４ａを形成しても良い。
弧状布片の端辺を溶着接合するのに代えて、環状平面体をプレスして延在方向の所定部を面外方向へ突出させても良い。
保形具３は、上記実施例のように骨組み構造体でも良く、編み目構造体でも良く、多孔板構造体でも良い。通気性があり且つ防塵マスク装着時に碗形状を維持できる剛性を有しておれば良い。
【産業上の利用可能性】
【０００９】
本発明は、保形具を備える使い捨て防塵マスクに広く利用可能である。
【符号の説明】
【００１０】
１  使い捨て防塵マスク
２  碗状フィルター
２ａ  フィルター片
３  保形具
４  接顔布
４ａ  環状布片
４ａ１、４ａ２、４ａ３  弧状布片
４ｂ  接合部
５  マスク本体
６  しめ紐
【図１】
2019098110.tif 000003